(57)【要約】【課題】  操作部設置箇所の場所によらず操作部の操作面を使用者側に向けて操作部の操作性を向上させ得る水処理装置を提供する。【解決手段】  原水の水処理を行う水処理部と上記水処理部の制御を行う制御部とを備えた処理ユニット２と、上記処理ユニット２の制御部に接続した受信部１２にワイヤレス送信をする送信部を備えて上記制御部の操作を行う処理ユニット２とは別体の操作部３とを有して成る水処理装置１である。操作部設置面５に対して操作部３を傾斜させて取付けるための取付台座４を有し、取付台座４への操作部３の取付姿勢として操作部３の前面の操作面６の一端が操作部設置面５に近接して傾斜する状態、または該操作面６の他端が操作部設置面５に近接して傾斜する状態を選択自在とする取付手段を、上記取付台座４が備える。【選択図】図１
2007289819.tif 000002
【特許請求の範囲】
【請求項１】
原水の水処理を行う水処理部と上記水処理部の制御を行う制御部とを備えた処理ユニットと、上記処理ユニットの制御部に接続した受信部にワイヤレス送信をする送信部を備えて上記制御部の操作を行う処理ユニットとは別体の操作部とを有して成る水処理装置であって、操作部設置面に対して操作部を傾斜させて取付けるための取付台座を有し、取付台座への操作部の取付姿勢として操作部の前面の操作面の一端が操作部設置面に近接して傾斜する状態、または該操作面の他端が操作部設置面に近接して傾斜する状態を選択自在とする取付手段を、上記取付台座が備えて成ることを特徴とする水処理装置。
【請求項２】
上記取付手段が、操作部設置面に直交する軸線の軸周りに１８０°回転した固定姿勢の取付台座を操作部設置面に選択的に固定する取付台座固定手段と、操作面に直交する軸線の軸周りに１８０°回転した取付姿勢の操作部を取付台座に選択的に取付ける操作部取付手段とを備えて成ることを特徴とする請求項１記載の水処理装置。
【請求項３】
上記取付手段が、取付台座に操作部を取り付けた状態で、操作面の操作部設置面に対する傾斜角度を調節自在にする傾斜角度調節手段を備えて成ることを特徴とする請求項１記載の水処理装置。
【発明の詳細な説明】
【技術分野】
【０００１】
本発明は、水処理装置に関し、詳しくは水処理装置の操作をする操作部の設置に関するものである。
【背景技術】
【０００２】
従来から、キッチン等に設置される水処理装置にあっては、原水の水処理を行う処理ユニットをキッチンキャビネットの内部に配設することが多く、そのため特許文献１のように、処理ユニットの操作をワイヤレス通信で行わせるための操作部を設けたものがあり、この操作部は使用者の手の届く壁面等に設ける操作部設置面に配設されている。
【０００３】
しかしながら、操作部設置面に配設した操作部にあっては、操作部が操作部設置面に沿わせて配設されることがほとんどであり、操作面となる操作部の前面が壁面と同方向を向くようになるのであって、つまり操作面となる操作部の前面が水処理装置を使用する使用者側に向かない場合が多く、したがって、使用者にとって操作部の操作面が見にくく且つ操作しずらい場合が多いのであり、操作部の操作性の向上には改善の余地があるのが現状である。
【特許文献１】特開平１０−５７９６２号公報
【発明の開示】
【発明が解決しようとする課題】
【０００４】
本発明は上記の従来の問題点に鑑みて為したものであって、操作部設置面の場所によらず操作部の操作面を使用者側に向けて操作部の操作性を向上させ得る水処理装置を提供することを課題とするものである。
【課題を解決するための手段】
【０００５】
上記課題を解決するために本発明の請求項１に係る水処理装置は、原水の水処理を行う水処理部と上記水処理部の制御を行う制御部とを備えた処理ユニット２と、上記処理ユニット２の制御部に接続した受信部１２にワイヤレス送信をする送信部を備えて上記制御部の操作を行う処理ユニット２とは別体の操作部３とを有して成る水処理装置１であって、操作部設置面５に対して操作部３を傾斜させて取付けるための取付台座４を有し、取付台座４への操作部３の取付姿勢として操作部３の前面の操作面６の一端が操作部設置面５に近接して傾斜する状態、または該操作面６の他端が操作部設置面５に近接して傾斜する状態を選択自在とする取付手段を、上記取付台座４が備えて成ることを特徴とする。
【０００６】
これによると、使用者の手の届く任意位置に設ける操作部設置面５への操作部３の取付けは操作部設置面５に固定した取付台座４に操作部３を取付けることで行うのであるが、この取付台座４には、取付台座４への操作部３の取付姿勢として、操作部３の前面の操作面６の一端が操作部設置面５に近接して傾斜する状態、または該操作面６の他端が操作部設置面５に近接して傾斜する状態を選択自在とする取付手段を備えているので、操作部設置面５の設定場所に応じて操作部３の取付姿勢を上記取付手段によって変化させて、操作面６の操作部設置面５に対する傾斜方向を変化させて対応することができ、たとえば水処理装置１が配設される台所キャビネット７等の前方で立つ使用者に対して操作部３の操作面６を向けるようにできて、操作面６を見易く且つ操作し易くできて操作部３に良好な操作性を備えることができる。
【０００７】
また、請求項２の水処理装置は、請求項１において、上記取付手段が、操作部設置面５に直交する軸線Ａの軸周りに１８０°回転した固定姿勢の取付台座４を操作部設置面５に選択的に固定する取付台座固定手段と、操作面６に直交する軸線Ｂの軸周りに１８０°回転した取付姿勢の操作部３を取付台座４に選択的に取付ける操作部取付手段とを備えて成ることを特徴とする。
【０００８】
これによると、操作部設置面５の設定場所に応じて、取付台座固定手段によって取付台座４の操作部設置面５への固定姿勢を操作部設置面５に直交する軸線Ａの軸周りに１８０°回転させた姿勢で選択的に変化させることができ、また操作部取付手段によって操作部３の取付台座４への取付姿勢を操作面６に直交する軸線Ｂの軸周りに１８０°回転した姿勢で選択的に変化させることができ、つまり、操作部設置面５に対する操作面６の傾斜姿勢の自由度を向上でき、操作面６を使用者側に向ける確実性を向上できる。
【０００９】
また、請求項３の水処理装置は、請求項１において、上記取付手段が、取付台座４に操作部３を取り付けた状態で、操作面６の操作部設置面５に対する傾斜角度を調節自在にする傾斜角度調節手段を備えて成ることを特徴とする。
【００１０】
これによると、傾斜角度調節手段によって操作部設置面５に対する操作面６の傾斜姿勢の自由度を向上できるのは勿論、個々の使用者に応じて操作面６が最も使用しやすいように操作部３の傾斜角度を調節できるのであり、操作面６を使用者側に向ける確実性を向上できる。
【発明の効果】
【００１１】
本発明は、任意に設けられる操作部設置面に操作部を設置するにあたって、確実に使用者に対して操作部の操作面を向けるようにできて、操作面を見易く且つ操作し易くできて操作部に良好な操作性を備えることができる、といった利点を有する。
【発明を実施するための最良の形態】
【００１２】
以下、本発明を添付図面に示す実施形態に基いて説明する。
【００１３】
水処理装置１は、図５，６のように、原水の水処理を行う水処理部と上記水処理部の制御を行う制御部とを備えた処理ユニット２と、上記処理ユニット２の制御部に接続した受信部１２にワイヤレス送信をする送信部を備えて上記制御部の操作を行う処理ユニット２とは別体の操作部３とを有している。
【００１４】
本例の処理ユニット２の水処理部としては、供給された原水を電気分解する電解槽と、供給された原水をろ過する浄水部とを有し、上記電解槽での原水の電気分解よってアルカリイオン水または酸性イオン水の処理水を生成可能にすると共に、浄水部で原水がろ過されて原水中に含まれるゴミ等の不純物質が除去されるようにしている。なお、本例の浄水部としては交換可能な浄水カートリッジにて構成されており、後述する処理水吐水部１０からの吐水全てを浄水処理するように配設されている。
【００１５】
このような水処理装置１は一般的に台所に配設されることが多く、本例でも図５，６のように台所に配設している。そして、本例では処理ユニット２は、台所キャビネット７に載設したカウンター８上に載せて配置するとカウンター８上の作業スペースを狭めてしまうので、台所キャビネット７の内部に配設している。この台所キャビネット７にはカウンター８の上面から凹没するようにシンクが設けられており、このシンクの縁部には水処理装置１の吐水部９が設けられ、この吐水部９から処理水をシンク内に吐水可能にしている。本例の吐水部９は、電解槽から至る処理水供給路１０ａの先端が構成して処理水を吐水する処理水吐水部１０と、電解槽から至る副生成水排出路１１ａの先端が構成して副生成水を排出する副生成水吐水部１１とを備えている
詳しくは、電解槽は電解隔膜で仕切られた２つの部屋を有すると共に、該部屋に１つずつ配置した１対の電極を有しており、１対の電極間に電気を流すことで電解槽内で電気分解がなされる。この電気分解によるとアルカリイオン水と酸性イオン水とが同時に生成されるのであり、使用者による操作部３の操作によって制御部を介してアルカリイオン水または酸性イオン水のいずれかを処理水として吐水部９から吐水させる制御がなされる。すなわち、処理水をアルカリイオン水とする場合には吐水部９の処理水吐水部１０からアルカリイオン水が吐出されると共に副生成水吐水部１１から酸性イオン水が排出されるのであり、処理水を酸性イオン水とする場合には処理水吐水部１０から酸性イオン水が吐出されると共に副生成水吐水部１１からアルカリイオン水が排出されるのである。
【００１６】
処理ユニット２の制御部に制御線１２ａにより接続される受信部１２は、台所キャビネット７内に配設してもよいが、金属製のカウンター８やシンクは操作部３の送信部から発せられる無線信号が透過しずらいために、本例では図５のようにカウンター８の上面部分や図６のようにカウンター８の上面から飛び出した吐水部９の基部に配設される。
【００１７】
操作部３は図４のように前面が操作面６となり、外殻が左右方向に長い矩形ボックス形状に形成され、その内部には回路部と送信部が内装されている。操作面６には各種操作釦と各種表示部とが設けられており、回路部により、操作面６に設けた各種操作釦による入力信号を送信部から送信させると共に、各種表示部を適宜表示させるようになっている。なお、便宜上、図１中矢印ａを操作部３の前後方向とし、図４中矢印ｂを操作部３の左右方向とし、図１，４中矢印ｃを上記左右方向と前後方向と直交する操作部３の上下方向として説明する。
【００１８】
具体的に、操作面６の各種操作釦は、処理ユニット２への原水の供給の有無を制御する原水供給釦１３と、処理水吐水部１０からアルカリイオン水を吐水させるアルカリイオン水吐水釦１４と、処理水吐水部１０から酸性イオン水を吐水させる酸性イオン水吐水釦１５と、電解槽での電気分解を行わずに処理水吐水部１０から浄水を吐水させる浄水吐水釦１６とを有している。なお、アルカリイオン水吐水釦１４は電極間に流す電気の大きさを段階的に制御してアルカリ性の強さが段階的に異なるアルカリイオン水が生成可能にされている。表示部は上記各種釦に対応して各種釦の作動時に点灯する各モード選択照明部や、電解槽で電気分解がなされていることを示す電解槽作動照明部１７や、積算流量から浄水カートリッジの交換時期を表示するカートリッジ交換用表示照明部１８で構成されている。詳しくは、上記各種釦の作動時に点灯する各照明部としては、処理水吐水部１０からアルカリイオン水を吐水させるアルカリイオン水吐水モードが選択されていることを点灯して示すアルカリイオン水モード選択照明部１９、処理水吐水部１０から酸性イオン水を吐水させる酸性イオン水吐水モードが選択されていることを点灯して示す酸性イオン水モード選択照明部２０、処理水吐水部１０から浄水を吐水させる浄水モードが選択されていることを点灯して示す浄水モード選択照明部２１で構成されている。アルカリイオン水モード照明部は選択されているアルカリイオン水のアルカリ性の強さも表示できるようにしてある。操作部３の各種釦は、左右に長く上下に短い矩形平面状の操作面６において、長手方向である左右方向に並べて配設されている。
【００１９】
叙述のようにこの操作部３は、処理ユニット２とは別体であり、処理ユニット２の制御部に接続した受信部１２にワイヤレス送信をする送信部を備えているから、台所に立つ使用者にとって手の届く操作のし易い適宜箇所に設置するのであり、上記操作部３の設置箇所を操作部設置面５と称する。たとえば、操作部設置面５としては、カウンター８の後縁部分や、台所キャビネット７の後部を沿わせた建物壁面２２の部分や、台所キャビネット７におけるカウンター８の前縁から垂設した幕板２３の前面部分に設けることが挙げられる。便宜上、カウンター８の後縁部分に設けた操作部設置面５をカウンター操作部設置面５ａと称し、建物壁面２２の部分に設けた操作部設置面５を壁面操作部設置面５ｂと称し、幕板２３の前面部分に設けた操作部設置面５を幕板操作部設置面５ｃと称する。
【００２０】
本発明では、操作部設置面５に設置した操作部３の操作面６を、使用者側に確実に向けて見易く且つ操作し易くしたことに特徴があり、これは下記に詳述する図１乃至６や図７及び８のような取付台座４を用いて行わせたことで可能にしている。
【００２１】
図１乃至６の取付台座４は、平面視で操作部３とその上下方向及び左右方向の各寸法が略同形になるような台であり、前面部に操作部３を積層して取付ける操作部取付部２４を有し、後面部が操作部設置面５に接地する接地面部２５とされている。便宜上、図１，３中矢印ｄを取付台座４の前後方向とし、図３中矢印ｅを取付台座４の左右方向とし、図１中矢印ｆを上記左右方向と前後方向と直交する取付台座４の上下方向として説明する。
【００２２】
操作部取付部２４を有した前面部は、その取付台座４の上下方向における一端部（本例では下端部４ａ）が接地面部２５となる後面部に近接するように、後面部に対して斜めに傾斜するように形成されている。つまり、本例では取付台座４の前後方向の厚み寸法は下端部４ａに比べて上端部４ｂが厚くなるように形成されている。操作部取付部２４は周壁２４ｂによって囲繞されて後方に凹没する嵌合凹所２４ａを有している。この取付台座４に取り付ける操作部３はその後面部の周縁を残して後方に突出させた嵌合突部２６を備えている。そして、上記嵌合凹所２４ａに嵌合突部２６を嵌合させることで、操作部取付部２４に操作部３が取付けられるようになっている。ここで、嵌合凹所２４ａ及び嵌合突部２６は左右対称形状に形成されており、図１（ａ）（ｃ）のように、操作面６に直交する軸線Ｂ（図１）の軸周りに１８０°回転した取付姿勢の操作部３を取付台座４に選択的に取り付けできるようにされている。換言すると、取付台座４には、図１（ａ）のように取付台座４の上端部４ｂに操作部３の上端部３ｂを対応させた取付姿勢で操作部３を取り付けることができるのであり、また、この取付姿勢から操作面６内で操作部３の上下位置を反転させるべく操作部３を回転させたことで得られる図１（ｃ）のような取付台座４の上端部４ｂに操作部３の下端部３ａが対応するような取付姿勢でも操作部３を取り付けることができるようになっている。つまり、請求項で言うところの操作部取付手段は軸線Ｂ廻りに回転対称形状に形成された嵌合凹所２４ａ及び嵌合突部２６で構成されている。なお、操作部取付部２４にはその後面側から取付ビス２７を前方に突出させて、この取付ビス２７を操作部取付部２４に嵌合した操作部３の裏面に設けたビス孔（図示せず）に螺合させることで、操作部取付部２４に嵌合した操作部３が固定できるようになっている。
【００２３】
上記には操作部３が取付台座４に操作部取付手段により操作面６内で反転自在に取り付け可能にしたことを説明したが、取付台座４自身も、平面状の接地面部２５を有しているため接地面部２５内で回転した任意の固定姿勢で、平面状の操作部設置面５に対して固定可能にされている。つまり、図１（ａ）（ｂ）にように、操作部設置面５に直交する軸線Ａ（図１）の軸周りに１８０°回転した固定姿勢の取付台座４を操作部設置面５に選択的に固定可能にされており、請求項で言うところの取付台座固定手段は平面状の接地面部２５及び操作部設置面５で構成されている。なお、取付台座４の操作部設置面５への固定は、たとえば接地面部２５と操作部設置面５との間に介在させた両面テープで行わせても、接地面部２５の前面側から後面側に突出させた取付ネジを操作部設置面５に打入することで行わせてもよい。
【００２４】
上記取付台座４を用いて操作部３をカウンター操作部設置面５ａに設置した場合には、図２のようにカウンター８の前方に取付台座４の下端部４ａを向けるようにして取付台座４をカウンター操作部設置面５ａに固定し、図１（ａ）のように取付台座４の上端部４ｂに操作部３の上端部３ｂを合わせて取付台座４に操作部３を取付ける。すると、操作部３の前面の操作面６は、台所キャビネット７の前方に立つ使用者の前斜め下方に見下ろすような目線の方向と略対向するようなカウンター８の前斜め上方に面するようになり、操作面６は使用者にとって見易く且つ操作し易くできたものである。
【００２５】
また、上記取付台座４を用いて操作部３を壁面操作部設置面５ｂに設置した場合には、図２のように建物壁面２２の下方に取付台座４の下端部４ａを向けるようにして取付台座４をカウンター操作部設置面５ａに固定し、図１（ａ）ようにの取付台座４の上端部４ｂに操作部３の上端部３ｂを合わせて取付台座４に操作部３を取付ける。すると、操作部３の前面の操作面６は、使用者の前斜め上方に見上げる目線の方向と略対向するようなカウンター８の前斜め下方に面するようになり、操作面６は使用者にとって見易く且つ操作し易くできたものである。
【００２６】
また、上記取付台座４を用いて操作部３を幕板操作部設置面５ｃに設置した場合には、図２のように幕板２３の上方に取付台座４の下端部４ａを向けるようにして取付台座４を幕板操作部設置面５ｃに固定し、図１（ｃ）のように取付台座４の上端部４ｂに操作部３の下端部３ａを合わせて取付台座４に操作部３を取付ける。すると、操作部３の前面の操作面６は、使用者の略垂直下方に見下ろす目線の方向と略対向するようなカウンター８の前斜め上方に面するようになり、操作面６は使用者にとって見易く且つ操作し易くできたものである。
【００２７】
このように、任意箇所の操作部設置面５に応じて、操作部設置面５に対する取付台座４の固定姿勢、取付台座４に対する操作部３の取付姿勢を適宜選択することで、操作部設置面５に設置した操作部３の操作面６を、確実に使用者側に面するようにできて、使用者にとって見易く且つ操作し易くできたものである。
【００２８】
また、図７及び８の取付台座４は、平面視で操作部３とその上下方向及び左右方向の各寸法が一回り大きく形成された台であり、前面部に操作部３を嵌め込んで取付ける操作部取付部３１を有し、後面部が操作部設置面５に接地する接地面部２５とされている。
【００２９】
詳しくは、この取付台座４は、接地面部２５となる平面状の後面を有した底板部２８と、底板部２８の少なくとも上下縁部から底板部２８に略垂直前方に突出させた上部立壁２９と下部立壁３０とを有し、これら底板部２８と上部立壁２９と下部立壁３０とで囲繞されて前方に開口する取付用凹所３１ａで操作部取付部３１が形成されている。底板部２８の上下方向の中央部分には、操作部取付部３１に配置した操作部３の裏面の上下中央部分を載置支持するための支持突部３２が形成されている。上部立壁２９と下部立壁３０の各前端部には対向する方向に突出する係止突起３３がそれぞれ形成されている。この取付台座４に取り付ける操作部３はその上端面及び下端面にそれぞれ複数の係止凹部３４が前後方向に並んで凹設されている。操作部３を操作部取付部３１に取り付けた状態では、図７のように、操作部３がその上下から上部立壁２９と下部立壁３０とで挟まれた状態となると共に、操作部３の裏面の中央部分が支持突部３２上に載った状態になり、この操作部３の裏面の中央部分の支持突部３２上への載置点を中心にして操作部３の上端部３ｂ及び下端部３ａが相反する前後方向に振れるようになっている。ここで、上部立壁２９及び下部立壁３０は前方側ほど対向する方向に位置するように湾曲されており、操作部３の上端面及び下端面は前方ほど上下方向の中央側に位置するような円弧面状に形成されているので、上記前後に揺動する操作部３の上端面及び下端面が上部立壁２９及び下部立壁３０の各対向面にそれぞれ摺接するのであって、係止突起３３が操作部３の上端面及び下端面にある適宜の係止凹部３４に係止し、上記前後に揺動自在にされた操作部３の保持がなされるようになっている。
【００３０】
つまり、操作部設置面５に固定した取付台座４に操作部３を取り付けた状態では、操作部３は、操作面６の上下方向の中央を揺動中心として操作面６の上端部が操作部設置面５に近接して傾斜する状態から該操作面６の下端部が操作部設置面５に近接して傾斜する状態にまで、操作部設置面５に対して傾斜した取付姿勢を適宜とることができるのであり、係止突起３３の適宜の係止凹部３４への係止によってその取付姿勢を保持することができたものである。換言すると、係止突起３３の適宜の係止凹部３４への係止によって、操作部設置面５に対する操作部３の傾斜角度が調節自在にされているのであり、この係止突起３３の適宜の係止凹部３４への係止構造はすなわち請求項で言うところの傾斜角度調節手段を構成しているのである。
【００３１】
上記取付台座４を用いて操作部３をカウンター操作部設置面５ａや壁面操作部設置面５ｂに設置した場合は、図７の実線で示す操作部３のように操作面６の下端部を操作部設置面５に近接するように傾斜させて取付台座４に取付けることで、操作部３の操作面６を確実に使用者側に面するようにできて、使用者にとって見易く且つ操作し易くできるのである。また、上記取付台座４を用いて操作部３を幕板操作部設置面５ｃに設置した場合は、図７の２点鎖線で示す操作部３のように操作面６の上端部を操作部設置面５に近接するように傾斜させて取付台座４に取付けることで、操作部３の操作面６を確実に使用者側に面するようにできて、使用者にとって見易く且つ操作し易くできるのである。更に言うと、本例では傾斜角度調節手段で操作面６の操作部設置面５に対する傾斜角度が調節自在になっているので、体格の異なる個々使用者に応じて操作面６が最も使用しやすいように操作部３の傾斜角度を調節できるのであり、操作面６を使用者側に向ける確実性が向上しているのである。
【図面の簡単な説明】
【００３２】
【図１】本発明の実施の形態の例の操作部の操作部設置面への設置状態を説明する説明図であり、（ａ）は取付台座の上部に操作部の上部を合わせて取付けた状態の概略側断面図であり、（ｂ）は（ａ）の取付台座が操作部設置面に直交する軸線の軸周りに１８０°回転させた後の固定姿勢にある状態の概略側断面図であり、（ｃ）は（ａ）の取付台座においてその上部に操作部の下部を合わせて取付けた状態の概略側断面図である。
【図２】同上の操作部の操作部設置面への設置を説明する台所の概略側面図である。
【図３】同上の操作部を取付台座に取付けた状態の取付台座の下方側から見た正面図である。
【図４】同上の操作部の操作面の平面図である。
【図５】同上の水処理装置の設置の一例を示す側断面図である。
【図６】同上の水処理装置の設置の他例を示す側断面図である。
【図７】本発明の実施の形態の他例の操作部の操作部設置面への設置状態を説明する概略側断面図である。
【図８】同上の操作部の操作部設置面への設置を説明する台所の概略側面図である。
【符号の説明】
【００３３】
１  水処理装置
２  処理ユニット
３  操作部
４  取付台座
５  操作部設置面
６  操作面
【図１】
2007289819.tif 000003
【図２】
2007289819.tif 000004
【図３】
2007289819.tif 000005
【図４】
2007289819.tif 000006
【図５】
2007289819.tif 000007
【図６】
2007289819.tif 000008
【図７】
2007289819.tif 000009
【図８】
2007289819.tif 000010